【手続補正書】
【提出日】平成15年11月10日(2003.11.10)
【手続補正１】
【補正対象書類名】明細書
【補正対象項目名】特許請求の範囲
【補正方法】変更
【補正の内容】
【特許請求の範囲】
【請求項１】
複数の誤り訂正単位よりなる記録情報を情報記録媒体に記録する情報記録方法であって、
前記記録情報の記録終了時、一の誤り訂正単位の記録途中で記録を終了することを特徴とする情報記録方法。
【請求項２】
前記記録の終了の後に前記情報記録媒体に追加記録を行うとき、前記一の誤り訂正単位内で追加記録を開始することを特徴とする請求項１に記載の情報記録方法。
【請求項３】
前記一の誤り訂正単位は、記録終了した前記記録情報を含む最後の前記誤り訂正単位の次の前記誤り訂正単位であることを特徴とする請求項１又は２に記載の情報記録方法。
【請求項４】
前記記録情報の記録終了時に、所定量のダミー情報を前記情報記録媒体に記録して記録を終了することを特徴とする請求項１乃至３のいずれか一に記載の情報記録方法。
【請求項５】
所定量の新ダミー情報を記録することから前記追加記録を開始することを特徴とする請求項２に記載の情報記録方法。
【請求項６】
前記所定量の新ダミー情報を記録した後、新たな前記記録情報を記録することを特徴とする請求項５に記載の情報記録方法。
【請求項７】
新たな前記記録情報を記録することから前記追加記録を開始することを特徴とする請求項２に記載の情報記録方法。
【請求項８】
前記記録終了の後に前記情報記録媒体に追加記録を行うとき、前記記録されているダミー情報の中から当該追加記録を開始することを特徴とする請求項４に記載の情報記録方法。
【請求項９】
前記誤り訂正単位の各々は複数のセクタからなると共に、
前記記録終了の位置及び前記追加記録の開始位置は、前記一の誤り訂正単位における第１セクタ内にあることを特徴とする請求項２に記載の情報記録方法。
【請求項１０】
前記第１セクタの先頭位置を検出し、
前記検出された第１セクタの先頭位置に基づいて求められた位置から前記追加記録を開始することを特徴とする請求項９に記載の情報記録方法。
【請求項１１】
複数の誤り訂正単位よりなる旧記録情報が記録されている情報記録媒体であって、当該旧記録情報の後に所定の旧ダミー情報が記録されている前記情報記録媒体に対して、新記録情報を追加記録する情報記録方法であって、
前記旧ダミー情報の記録位置を検出する検出工程と、
前記検出された旧ダミー情報の記録位置に基づいて求められた位置から新ダミー情報を記録する新ダミー情報記録工程と、
前記新ダミー情報の後に前記新記録情報を記録する記録工程と、
を備えたことを特徴とする情報記録方法。
【請求項１２】
前記新ダミー情報により、前記旧ダミー情報の一部が上書きされることを特徴とする請求項１１に記載の情報記録方法。
【請求項１３】
前記新ダミー情報を記録後において残存している前記旧ダミー情報の情報量と、前記新ダミー情報の情報量と、を合算した情報量が、一の前記誤り訂正単位に含まれる情報量より少ない情報量となるように、前記新ダミー情報を記録することを特徴とする請求項１１又は１２に記載の情報記録方法。
【請求項１４】
前記旧ダミー情報は、前記旧記録情報が含まれる最後の前記誤り訂正単位の次の前記誤り訂正単位の先頭から所定量だけ記録されており、
前記新ダミー情報は、前記次の誤り訂正単位内においてその先頭から所定距離離れた位置から記録されることを特徴とする請求項１１乃至１３のいずれか一に記載の情報記録方法。
【請求項１５】
前記誤り訂正単位の各々は複数のセクタを含み、
前記旧ダミー情報は、前記次の誤り訂正単位中の第１セクタの途中まで記録され、
前記新ダミー情報は、前記第１セクタ中の所定位置から記録されることを特徴とする請求項１４に記載の情報記録方法。
【請求項１６】
請求項１２に記載の情報記録方法により記録情報が記録されている情報記録媒体から前記記録情報を再生する方法であって、
再生時に、前記上書きされた領域の情報を所定の情報に置き換えて再生することを特徴とする情報再生方法。
【請求項１７】
複数の誤り訂正単位よりなる旧記録情報が記録されている情報記録媒体であって、当該旧記録情報の後に所定の旧ダミー情報が記録されている前記情報記録媒体に対して、新記録情報を追加記録する情報記録方法であって、
前記旧ダミー情報の記録位置を検出する検出工程と、
前記検出された旧ダミー情報の記録位置に基づいて求められた位置から新記録情報を記録する新記録情報記録工程と、
を備えたことを特徴とする情報記録方法。
【請求項１８】
前記新記録情報により、前記旧ダミー情報の一部が上書きされることを特徴とする請求項１７に記載の情報記録方法。
【請求項１９】
前記旧ダミー情報は、前記旧記録情報が含まれる最後の前記誤り訂正単位の次の前記誤り訂正単位の先頭から所定量だけ記録されており、
前記新記録情報は、前記次の誤り訂正単位内においてその先頭から所定距離離れた位置から記録されることを特徴とする請求項１７又は１８に記載の情報記録方法。
【請求項２０】
前記誤り訂正単位の各々は複数のセクタを含み、
前記旧ダミー情報は、前記次の誤り訂正単位中の第１セクタの途中まで記録され、
前記新記録情報は、前記第１セクタ中の所定位置から記録されることを特徴とする請求項１９に記載の情報記録方法。
【請求項２１】
複数の誤り訂正単位よりなる記録情報を情報記録媒体に記録する情報記録装置であって、
前記記録情報の記録終了時、一の誤り訂正単位の記録途中で記録を終了することを特徴とする情報記録装置。
【請求項２２】
前記記録の終了の後に前記情報記録媒体に追加記録を行うとき、前記一の誤り訂正単位内で追加記録を開始することを特徴とする請求項２１に記載の情報記録装置。
【請求項２３】
前記一の誤り訂正単位は、記録終了した前記記録情報を含む最後の前記誤り訂正単位の次の前記誤り訂正単位であることを特徴とする請求項２１又は２２に記載の情報記録装置。
【請求項２４】
前記記録情報の記録終了時に、所定量のダミー情報を前記情報記録媒体に記録して記録を終了することを特徴とする請求項２１乃至２３のいずれか一に記載の情報記録装置。
【請求項２５】
所定量の新ダミー情報を記録することから前記追加記録を開始することを特徴とする請求項２２に記載の情報記録装置。
【請求項２６】
前記所定量の新ダミー情報を記録した後、新たな前記記録情報を記録することを特徴とする請求項２５に記載の情報記録装置。
【請求項２７】
新たな前記記録情報を記録することから前記追加記録を開始することを特徴とする請求項２２に記載の情報記録装置。
【請求項２８】
前記記録終了の後に前記情報記録媒体に追加記録を行うとき、前記記録されているダミー情報の中から当該追加記録を開始することを特徴とする請求項２４に記載の情報記録装置。
【請求項２９】
前記誤り訂正単位の各々は複数のセクタからなると共に、
前記記録終了の位置及び前記追加記録の開始位置は、前記一の誤り訂正単位における第１セクタ内にあることを特徴とする請求項２２に記載の情報記録装置。
【請求項３０】
前記第１セクタの先頭位置を検出し、
前記検出された第１セクタの先頭位置に基づいて求められた位置から前記追加記録を開始することを特徴とする請求項２９に記載の情報記録装置。
【請求項３１】
複数の誤り訂正単位よりなる旧記録情報が記録されている情報記録媒体であって、当該旧記録情報の後に所定の旧ダミー情報が記録されている前記情報記録媒体に対して、新記録情報を追加記録する情報記録装置であって、
前記旧ダミー情報の記録位置を検出する検出手段と、
前記検出された旧ダミー情報の記録位置に基づいて求められた位置から新ダミー情報を記録する新ダミー情報記録手段と、
前記新ダミー情報の後に前記新記録情報を記録する記録手段と、
を備えたことを特徴とする情報記録装置。
【請求項３２】
前記新ダミー情報により、前記旧ダミー情報の一部が上書きされることを特徴とする請求項３１に記載の情報記録装置。
【請求項３３】
前記新ダミー情報を記録後において残存している前記旧ダミー情報の情報量と、前記新ダミー情報の情報量と、を合算した情報量が、一の前記誤り訂正単位に含まれる情報量より少ない情報量となるように、前記新ダミー情報を記録することを特徴とする請求項３１又は３２に記載の情報記録装置。
【請求項３４】
前記旧ダミー情報は、前記旧記録情報が含まれる最後の前記誤り訂正単位の次の前記誤り訂正単位の先頭から所定量だけ記録されており、
前記新ダミー情報は、前記次の誤り訂正単位内においてその先頭から所定距離離れた位置から記録されることを特徴とする請求項３１乃至３３のいずれか一に記載の情報記録装置。
【請求項３５】
前記誤り訂正単位の各々は複数のセクタを含み、
前記旧ダミー情報は、前記次の誤り訂正単位中の第１セクタの途中まで記録され、
前記新ダミー情報は、前記第１セクタ中の所定位置から記録されることを特徴とする請求項３４に記載の情報記録装置。
【請求項３６】
請求項３２に記載の情報記録装置により記録情報が記録されている情報記録媒体から前記記録情報を再生する装置であって、
再生時に、前記上書きされた領域の情報を所定の情報に置き換えて再生することを特徴とする情報再生装置。
【請求項３７】
複数の誤り訂正単位よりなる旧記録情報が記録されている情報記録媒体であって、当該旧記録情報の後に所定の旧ダミー情報が記録されている前記情報記録媒体に対して、新記録情報を追加記録する情報記録装置であって、
前記旧ダミー情報の記録位置を検出する検出手段と、
前記検出された旧ダミー情報の記録位置に基づいて求められた位置から新記録情報を記録する新記録情報記録手段と、
を備えたことを特徴とする情報記録装置。
【請求項３８】
前記新記録情報により、前記旧ダミー情報の一部が上書きされることを特徴とする請求項３７に記載の情報記録装置。
【請求項３９】
前記旧ダミー情報は、前記旧記録情報が含まれる最後の前記誤り訂正単位の次の前記誤り訂正単位の先頭から所定量だけ記録されており、
前記新記録情報は、前記次の誤り訂正単位内においてその先頭から所定距離離れた位置から記録されることを特徴とする請求項３７又は３８に記載の情報記録装置。
【請求項４０】
前記誤り訂正単位の各々は複数のセクタを含み、
前記旧ダミー情報は、前記次の誤り訂正単位中の第１セクタの途中まで記録され、
前記新記録情報は、前記第１セクタ中の所定位置から記録されることを特徴とする請求項３９に記載の情報記録装置。
【手続補正２】
【補正対象書類名】明細書
【補正対象項目名】０００９
【補正方法】変更
【補正の内容】
【０００９】
【課題を解決するための手段】
上記の課題を解決するために、請求項１に記載の発明は、複数の誤り訂正単位よりなる記録情報を情報記録媒体に記録する情報記録方法であって、前記記録情報の記録終了時、一の誤り訂正単位の記録途中で記録を終了するように構成される。
【手続補正３】
【補正対象書類名】明細書
【補正対象項目名】００１０
【補正方法】変更
【補正の内容】
【００１０】
上記の課題を解決するために、請求項１１に記載の発明は、複数の誤り訂正単位よりなる旧記録情報が記録されている情報記録媒体であって、当該旧記録情報の後に所定の旧ダミー情報が記録されている前記情報記録媒体に対して、新記録情報を追加記録する情報記録方法であって、前記旧ダミー情報の記録位置を検出する検出工程と、前記検出された旧ダミー情報の記録位置に基づいて求められた位置から新ダミー情報を記録する新ダミー情報記録工程と、前記新ダミー情報の後に前記新記録情報を記録する記録工程と、を備える。
【手続補正４】
【補正対象書類名】明細書
【補正対象項目名】００１１
【補正方法】変更
【補正の内容】
【００１１】
上記の課題を解決するために、請求項１６に記載の発明は、請求項１２に記載の情報記録方法により記録情報が記録されている情報記録媒体から前記記録情報を再生する方法であって、再生時に、前記上書きされた領域の情報を所定の情報に置き換えて再生するように構成される。
【手続補正５】
【補正対象書類名】明細書
【補正対象項目名】００１２
【補正方法】変更
【補正の内容】
【００１２】
上記の課題を解決するために、請求項１７に記載の発明は、複数の誤り訂正単位よりなる旧記録情報が記録されている情報記録媒体であって、当該旧記録情報の後に所定の旧ダミー情報が記録されている前記情報記録媒体に対して、新記録情報を追加記録する情報記録方法であって、前記旧ダミー情報の記録位置を検出する検出工程と、前記検出された旧ダミー情報の記録位置に基づいて求められた位置から新記録情報を記録する新記録情報記録工程と、を備える。
【手続補正６】
【補正対象書類名】明細書
【補正対象項目名】００１３
【補正方法】変更
【補正の内容】
【００１３】
上記の課題を解決するために、請求項２１に記載の発明は、複数の誤り訂正単位よりなる記録情報を情報記録媒体に記録する情報記録装置であって、前記記録情報の記録終了時、一の誤り訂正単位の記録途中で記録を終了するように構成される。
【手続補正７】
【補正対象書類名】明細書
【補正対象項目名】００１４
【補正方法】変更
【補正の内容】
【００１４】
上記の課題を解決するために、請求項３１に記載の発明は、複数の誤り訂正単位よりなる旧記録情報が記録されている情報記録媒体であって、当該旧記録情報の後に所定の旧ダミー情報が記録されている前記情報記録媒体に対して、新記録情報を追加記録する情報記録装置であって、前記旧ダミー情報の記録位置を検出する検出手段と、前記検出された旧ダミー情報の記録位置に基づいて求められた位置から新ダミー情報を記録する新ダミー情報記録手段と、前記新ダミー情報の後に前記新記録情報を記録する記録手段と、を備える。
【手続補正８】
【補正対象書類名】明細書
【補正対象項目名】００１５
【補正方法】変更
【補正の内容】
【００１５】
上記の課題を解決するために、請求項３６に記載の発明は、請求項３２に記載の情報記録装置により記録情報が記録されている情報記録媒体から前記記録情報を再生する装置であって、再生時に、前記上書きされた領域の情報を所定の情報に置き換えて再生するように構成される。
【手続補正９】
【補正対象書類名】明細書
【補正対象項目名】００１６
【補正方法】変更
【補正の内容】
【００１６】
上記の課題を解決するために、請求項３７に記載の発明は、複数の誤り訂正単位よりなる旧記録情報が記録されている情報記録媒体であって、当該旧記録情報の後に所定の旧ダミー情報が記録されている前記情報記録媒体に対して、新記録情報を追加記録する情報記録装置であって、前記旧ダミー情報の記録位置を検出する検出手段と、前記検出された旧ダミー情報の記録位置に基づいて求められた位置から新記録情報を記録する新記録情報記録手段と、を備える。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００５５
【補正方法】変更
【補正の内容】
【００５５】
始めに、本発明に係る情報記録装置の構成について、図３を用いて説明する。
図３に示すように、実施形態の情報記録装置Ｓは、ピックアップ２と、再生増幅器３と、デコーダ４と、プリピット信号デコーダ５と、スピンドルモータ６と、サーボ回路７と、プロセッサ８と、エンコーダ９と、スイッチ１０と、パワー制御回路１１と、レーザ駆動回路１２とにより構成されている。


【手続補正３５】
【補正対象書類名】明細書
【補正対象項目名】００８８
【補正方法】削除
【補正の内容】
【手続補正３６】
【補正対象書類名】明細書
【補正対象項目名】００８９
【補正方法】削除
【補正の内容】
【手続補正３７】
【補正対象書類名】明細書
【補正対象項目名】００９０
【補正方法】削除
【補正の内容】
【手続補正３８】
【補正対象書類名】明細書
【補正対象項目名】００９１
【補正方法】削除
【補正の内容】
【手続補正３９】
【補正対象書類名】明細書
【補正対象項目名】００９２
【補正方法】削除
【補正の内容】
【手続補正４０】
【補正対象書類名】明細書
【補正対象項目名】００９３
【補正方法】削除
【補正の内容】
【手続補正４１】
【補正対象書類名】明細書
【補正対象項目名】００９４
【補正方法】削除
【補正の内容】
【手続補正４２】
【補正対象書類名】明細書
【補正対象項目名】００９５
【補正方法】削除
【補正の内容】
【手続補正４３】
【補正対象書類名】明細書
【補正対象項目名】００９６
【補正方法】削除
【補正の内容】
【手続補正４４】
【補正対象書類名】明細書
【補正対象項目名】００９７
【補正方法】削除
【補正の内容】
【手続補正４５】
【補正対象書類名】明細書
【補正対象項目名】００９８
【補正方法】削除
【補正の内容】
【手続補正４６】
【補正対象書類名】明細書
【補正対象項目名】００９９
【補正方法】削除
【補正の内容】
【手続補正４７】
【補正対象書類名】明細書
【補正対象項目名】０１００
【補正方法】削除
【補正の内容】
【手続補正４８】
【補正対象書類名】明細書
【補正対象項目名】０１０１
【補正方法】削除
【補正の内容】
【手続補正４９】
【補正対象書類名】明細書
【補正対象項目名】０１０２
【補正方法】削除
【補正の内容】
【手続補正５０】
【補正対象書類名】明細書
【補正対象項目名】０１０３
【補正方法】削除
【補正の内容】
【手続補正５１】
【補正対象書類名】明細書
【補正対象項目名】０１０４
【補正方法】削除
【補正の内容】
【手続補正５２】
【補正対象書類名】明細書
【補正対象項目名】０１０５
【補正方法】削除
【補正の内容】